(57)【特許請求の範囲】
【請求項１】
建築物の内壁の開口近傍の断熱構造において、
内壁部に取り付けられた窓枠に、窓枠周縁の隙間を密封する帯状の内断熱テープが貼設され、
軸組に、所定位置に開口部を有し、表面側に枠体で四囲された空間に合成樹脂断熱材が充填されてなる合成樹脂層を有し、少なくとも、前記開口部の上方及び下方にある該合成樹脂断熱材の裏面側に易変形断熱材が覆設されてなる易変形断熱材層を有する断熱内壁枠が配設され、
前記軸組に、前記断熱内壁枠を該軸組から離間して固定するための取付部材が装着され、該取付部材により前記軸組に固定された前記断熱内壁枠の屋内側の縦目地に、帯状の内断熱縦目地シートが貼設され、
前記縦目地であって前記軸組と前記断熱内壁枠の枠体との間に、その本体を貫通する縦方向の切込みにより前記取付金具を内包するように、目地断熱材が介設されると共に、
前記取付部材が、
金属プレートが略C型に曲折されてなる基部と、前記基部と螺合するボルトと、前記基部から前記取付部材装着時に軸組方向へ、その先端部分が拡幅されるように突設された平板棒状の軸組挿入部と、前記基部とその中央部付近で固着され、バネ鋼が弧状に湾曲されてなる板バネと、金属プレートが略コの字状に曲折され、前記取付部材装着時に軸組側となる曲折部の中央付近に並行して切り込みが設けられ、更に該切込み部分が上方に曲折されて、該金属プレートから上方に突出する突片に前記ボルトを摺動自在に挿通するための挿通孔が穿設されたスペーサと、を具備してなることを特徴とする内壁部の断熱構造。
【請求項２】
請求項１記載の内壁部の断熱構造において、
枠体で四囲された空間に合成樹脂断熱材が充填され、該合成樹脂断熱材の裏面側に易変形断熱材が覆設されてなる前記断熱内壁枠の開口部に取付可能な開口部用横枠を具備することを特徴とする内壁部の断熱構造。
【発明の詳細な説明】
【０００１】
【発明の属する技術分野】
本発明は、住宅等の建築物の内壁部における断熱構造、特に、窓枠等を取り付けるための開口を有する内壁部であって、従来より高い断熱性能を得るための断熱構造、及び断熱内壁枠に関するものである。
【０００２】
【従来の技術】
一般に、住宅等の建物の、窓枠等の開口を有する内壁部は、図１８に示すように、建物の軸組み１に、内壁枠２が取り付けられ、更に、サッシ（窓枠）３、額縁４、内壁ボード、壁紙（図示せず）等が設けられて構成されている。前記内壁枠２は、図１９に示すように、縦桟５Ｔと横桟５Ｙとからなる矩形の枠体５の所定位置に開口部５ａが設けられ、枠体５で四囲される空間であって該開口部５ａを除く箇所に断熱材６が充填され、枠体５の内壁側には、開口部５ａと略同形の切抜きが形成された防湿シート７が貼付されてなるものである。縦桟５Ｔ及び横桟５Ｙは、各々木製のものであり、釘、ビス、又は接着剤等を固着手段を用いて夫々接合されている。また、枠体５の矩形構造を補強するために横桟５Ｙは縦桟５Ｔ間に複数架設されている。断熱材６は、グラスウール又はロックウールを用いたもので、タッカー８により枠体５に固定されている。防湿シート７は、アルミと合成樹脂とのラミネートシートである。
【０００３】
【発明が解決しようとする課題】
前述したように構成された内壁枠２は、軸組１に、内壁枠２の枠体５、即ち縦桟５Ｔを押し当てるように位置せしめられ、軸組１に装着された止具９により固定されており、該内壁枠２に充填された断熱材６により、屋内から屋外への熱損失を抑制して、建築物の屋内の断熱を行っていた。
【０００４】
しかし、前記内壁部の構成によっても、屋内から屋外への熱損失を完全に抑制することは困難である一方、省エネルギー等の観点から、より高い断熱性能が住宅等には求められている。例えば、内壁部の断熱構造を高めるために、前記断熱材６を厚くすることが考えられるが、断熱材６を厚くすれば内壁枠２の厚みも増す分、従来より納まりを大きくとる必要が生じ、一方、内壁枠２を従来と同様の厚みとすれば、充填された断熱材６の反発力が大きくなって屋内側に膨らみが生じ、施工性が悪くなる。従って、従来と同様の作業性や施工コストを備え、且つ断熱性能を向上した内壁部の構造が必要となっている。
また、サッシ３の取付部分の隙間等からも熱損失が生じることから、該熱損失をも抑制する必要もある。
【０００５】
本発明は、これらの点に鑑みてなされたものであり、簡易且つ安価であり、従来と同様の作業性を維持し、且つ、断熱性能の優れた開口近傍の内壁部の断熱構造、断熱内壁枠、及び開口部用横枠を提供することを目的とする。
【０００６】
【課題を解決するための手段】
本発明者らは、従来の内壁部の構造を鋭意研究した結果、軸組と内壁枠が直に接触している点、及び、内壁枠の枠体の材料である木材の熱伝導性が、断熱材として用いられるグラスウール等の約３倍程度と高い点に着眼し、従来の内壁部の構造における熱損失は内壁枠の枠体から軸組への熱伝導により生ずるものが主であることを見出した。また、断熱内壁枠の断熱性能をも向上させるため、断熱性能が優れた合成樹脂素材を併用することにより、断熱内壁枠の厚みや施工性等を従来と同等に維持し、断熱性能を向上できることに着眼し、前記熱伝導を簡易且つ低コストで抑制し、且つ、断熱性能を向上させ、更に窓枠の周囲を断熱材で密封することにより窓枠周囲の熱損失を抑制すべく本発明を完成するに至った。
【０００７】
即ち、本発明の請求項１に係る内壁部の断熱構造は、建築物の内壁の開口近傍の断熱構造において、内壁部に取り付けられた窓枠に、窓枠周縁の隙間を密封する帯状の内断熱テープが貼設され、軸組に、所定位置に開口部を有し、表面側に枠体で四囲された空間に合成樹脂断熱材が充填されてなる合成樹脂層を有し、少なくとも、前記開口部の上方及び下方にある該合成樹脂断熱材の裏面側に易変形断熱材が覆設されてなる易変形断熱材層を有する断熱内壁枠が配設され、前記軸組に、前記断熱内壁枠を該軸組から離間して固定するための取付部材が装着され、該取付部材により前記軸組に固定された前記断熱内壁枠の屋内側の縦目地に、帯状の内断熱縦目地シートが貼設され、前記縦目地であって前記軸組と前記断熱内壁枠の枠体との間に、その本体を貫通する縦方向の切込みにより前記取付金具を内包するように、目地断熱材が介設されると共に、前記取付部材が、金属プレートが略C型に曲折されてなる基部と、前記基部と螺合するボルトと、前記基部から前記取付部材装着時に軸組方向へ、その先端部分が拡幅されるように突設された平板棒状の軸組挿入部と、前記基部とその中央部付近で固着され、バネ鋼が弧状に湾曲されてなる板バネと、金属プレートが略コの字状に曲折され、前記取付部材装着時に軸組側となる曲折部の中央付近に並行して切り込みが設けられ、更に該切込み部分が上方に曲折されて、該金属プレートから上方に突出する突片に前記ボルトを摺動自在に挿通するための挿通孔が穿設されたスペーサと、を具備してなるものである。
【００１２】
また、本発明の請求項２に係る内壁部の断熱構造は、請求項１記載の内壁部の断熱構造において、枠体で四囲された空間に合成樹脂断熱材が充填され、該合成樹脂断熱材の裏面側に易変形断熱材が覆設されてなる前記断熱内壁枠の開口部に取付可能な開口部用横枠を具備するものである。
【００１３】
【発明の実施の形態】
以下、本発明の実施の形態を図面に基づき具体的に説明する。
図１は、本発明の実施の形態に係る内壁部の断熱構造１００の主要部を示す断面図であるが、図に示すように、本断熱構造１００は、住宅等の軸組１に、サッシ３が、その周縁を内断熱テープ５０により密封されて配設されるとともに、開口部１０ａが形成された断熱内壁枠１０１が取付金具１０２により、軸組１から所定間隔離間されて設けられ、断熱内壁枠１０１の開口部１０ａに額縁４が配設され、軸組１と断熱内壁枠１０１との間に目地断熱材１０３が充填され、断熱内壁枠１０１の屋内側の目地に内断熱縦目地シート１０４が貼設されてなるものである。
なお、断熱内壁枠１０１の屋内側には内壁ボード等が配設され、屋外側には外壁ボード等が配設されているが、本実施の形態においては、これらの説明は省略する。
【００１４】
断熱内壁枠１０１は、図２に示すように、２本の縦桟１０Ｔ間に横桟１０Ｙが複数架設されてなる矩形の枠体１０の中央やや上よりに開口部１０ａが形成され、枠体１０の表面側に、開口部１０ａと略同形状の切抜きが形成された防湿シート１１が貼設され、枠体１０で四囲された空間であって開口部１０ａ以外の箇所に合成樹脂断熱材１２が充填され、枠体１０の裏面側から、易変形断熱材１３が合成樹脂断熱材１２を覆うように設けられてなるものである。
なお、本実施の形態においては、枠体１０の表面側とは屋内側を指し、裏面側とは屋外側を指すものとする。
【００１５】
前記枠体１０を構成する縦桟１０Ｔ及び横桟１０Ｙは、各々木製の角材であり、釘や接着剤等の周知の固着手段により夫々が固着されて枠体１０をなしている。
縦桟１０Ｔ及び横桟１０Ｙの断面寸法は、縦×横が夫々２５〜６０ｍｍ程度のものであることが好ましく、特に、縦桟１０Ｔは、断熱内壁枠１０１を軸組１から離間させて設置することを考慮すると、断熱内壁枠１０１の納まりが従来より大きくならないように、例えば断面寸法が約３０ｍｍ×３０ｍｍ程度の、従来用いられている縦桟より断熱内壁枠１０１の厚み方向となるべき寸法が小さいものであることが好ましい。
横桟１０Ｙも同様に、縦桟１０Ｔと同程度の断面寸法とすることが好ましいが、枠体１０の強度を高めるために、枠体１０の高さ方向となるべき横桟の寸法を大きくすることは可能である。なお、本実施の形態では枠体１０を木製のものとしたが、本発明は係る実施の形態に限定されるものでないことは当然であり、例えば枠体１０を鋼材を用いたメタルフレームとすることも可能である。
【００１６】
開口部１０ａは、サッシ３の大きさに合わせて形成されている。図に示すように、本実施の形態における断熱内壁枠１０１の開口部１０ａは、その両側に合成樹脂断熱材１２が充填可能な程度の大きさのものであるが、例えば、開口部１０ａの横幅を枠体１０の横幅と同程度とすることもできる。なお、本開口部１０ａの周囲は、横桟１０Ｙと補助桟１０Ｈで構成されている。
【００１７】
防湿シート１１は、前記枠体１０と同程度の大きさの矩形のものであり、枠体１０の開口部１０ａと合致する位置に略同形状の切抜き１１ａが形成されている。防湿シート１１は、例えばアルミ及び合成樹脂のラミネートフィルム等、防湿性を有する素材からなるものである。枠体１０への貼着は、タッカー等を用いて行うこともできるが、接着剤や両面テープ等、防湿シート１１に穴を開けずに枠体１０に貼着できる手段を使用することが好ましい。また、防湿シート１１の素材としては、前記ラミネートフィルムの他、例えばポリプロピレン等、ガス透過性の低い合成樹脂を用いることもできる。
【００１８】
合成樹脂断熱材１２は、ポリスチレン、フェノール樹脂等の合成樹脂の発泡体からなるものであり、一般的に断熱材として用いられるグラスウールやロックウール等より高い断熱性能を有する一方、押圧による変形はグラスウール等ほど大きくなく、柔軟性は劣る。その大きさは、縦桟１０Ｔ及び横桟１０Ｙ、又は、縦桟１０Ｔ、補助桟１０Ｈ及び横桟１０Ｙで四囲される空間に略隙間なく充填できる程度の矩形に夫々裁断されており、厚みは枠体１０と同程度である。該合成樹脂断熱材１２は、前記各空間に夫々嵌め込む際に、縦桟１０Ｔ、補助桟１０Ｈ及び横桟１０Ｙに両面テープ等により夫々固定してもよいが、断熱内壁枠１０１の表面には防湿シート１１が、裏面には易変形断熱材１３が設けられることにより、これらの部材に挟入されて枠体１０から脱落することはないので、固定を行うことなく嵌め込むこととしてもよい。
【００１９】
易変形断熱材１３は、例えばグラスウール、ロックウール等の繊維状のものであり、押圧を受けることにより容易に変形可能なものである。該易変形断熱材１３は、予め、枠体１０の開口部１０ａより上方部分、下方部分、及び両側方部分に合わせて適度な大きさに裁断され、繊維が解けたりしないように袋体に詰められている。このように構成された易変形断熱材１３は、図２に示すように、タッカー１４を用いて横桟１０Ｙに固定されることにより、夫々縦桟１０Ｔより内側に納まるように覆設されている。
なお、本実施の形態では、開口部１０ａの上方、下方又は側方夫々に易変形断熱材１３を覆設したが、易変形断熱材を枠体１０と略同等の大きさとし、開口部１０ａと略同形状の切抜きを設けたものを覆設することとしてもよい。
【００２０】
図３は、図２のＡ−Ａ断面を示すものであるが、合成樹脂断熱材１２は、縦桟１０Ｔの厚みと略同等であり、一方、易変形断熱材１３は、その両端が縦桟１０Ｔより内側に納まるようにして、断熱内壁枠１０１の裏面側、即ち屋外側に膨出した状態となっている。
【００２１】
このように、表面側に合成樹脂断熱材１２を設けることにより、枠体１０で四囲される一定容積の空間において易変形断熱材１３より高い断熱性能を得ることができ、裏面側に易変形断熱材１３を覆設することにより、横桟１０Ｙによる熱伝導を抑制し、且つ、断熱内壁枠１０１の裏面側において軸組１等と当接する場合に容易に変形して、従来と同様の施工性が維持されるものとなっている。
【００２２】
取付金具１０２は、前記断熱内壁枠１０１を、軸組１から所定間隔だけ離間させて固定するためのものであり、図４に示すように、基部２０と、基部２０の軸組側に設けられた板バネ２１と、基部２０と螺合するボルト２２と、スペーサ２３とからなる。
【００２３】
基部２０は、金属プレートが略Ｃ型に曲折されてなるものであり、該基部２０から装着時に軸組１に向く方へ、先端部分が拡幅された平板棒状の軸組挿入部２０ａが突設されており、基部２０の中央近傍にはボルト２２と螺合するボルト挿通孔（図示せず）が穿設されている。該軸組挿入部２０ａの幅は、差し込むべき軸組１の隙間より若干小さい程度であり、先端の拡幅部分の幅は、該隙間より大きなものとなっている。また、軸組挿入部２０ａの長さは、差し込むべき軸組１の奥行よりやや大きい程度、即ち、軸組挿入部２０ａを完全に軸組に差し込んだ場合に、先端の拡幅部分が軸組１の反対側（裏面側）に突出する程度である。
【００２４】
板バネ２１は、バネ鋼が弧状に湾曲されてなるものであり、その中央部付近で基部２０に固着されている。スペーサ２３は、金属プレートが略コの字状に曲折され、装着時に軸組１側となる曲折部の中央付近に並行して切り込みが設けられ、更に該切込み部分が上方に曲折されて、縦断面形状が略コの字状の金属プレートから上方に突出する突片２３ａが形成されてなるものであり、該突片２３ａにはボルト２２を摺動自在に挿通するための挿通孔２３ｂが穿設されている。ボルト２２が該挿通孔２３ｂに挿通され、更に基部２０と螺合されることにより、基部２０とスペーサ２３が一体となっている。
【００２５】
図５は、取付金具１０２を軸組１に取り付ける方法を説明するためのものであるが、まず、図５(a)に示すように、基部２０の軸組挿入部２０ａを、その先端の拡幅方向が垂直方向となるようにして、軸組１へ差し込む。板バネ２１の反発力に対向して板バネ２１が潰れるまで軸組挿入部２０ａを軸組１に差し込むことにより、軸組挿入部２０ａの先端の拡幅部分が軸組１の反対側に突出する。その状態で、基部２０を時計周り（又は半時計回り）に９０度回転させてから、基部２０を開放すれば、基部２０は、板バネ２１の反発力により図４の手前側に付勢されるとともに、軸組挿入部２０ａの拡幅部分により軸組１に掛止されて、軸組１に装着される。更に、スペーサ２３の突片２３ａを基部２０の開口部と嵌合させることにより、図５(b)に示すように、取付金具１０２が軸組１に装着される。
【００２６】
目地断熱材１０３は、前記易変形断熱材１３と同様に、グラスウール、ロックウール等の繊維状で容易に変形可能なものであり、予め、軸組１と断熱内壁枠１０１との間の空間に充填できる程度に裁断され、繊維が解けたりしないように袋体に詰められている。目地断熱材１０３の大きさは、図１に示すように、断面の幅が断熱内壁枠１０１の縦桟１０Ｔの幅の２倍より若干大きい程度、奥行が軸組１と断熱内壁枠１０１との距離、即ち、前記取付金具１０２のスペーサ２３の奥行と同程度のものであって、高さ寸法が断熱内壁枠１０１の高さ寸法と同程度のものである。
【００２７】
内断熱縦目地シート１０４は、発泡ポリエチレン製の帯状のものであり、図１に示すように、断熱内壁枠１０１の屋内側の縦目地に貼設されるものである。内断熱縦目地シート１０４の幅は、取付金具１０２の屋内側の露呈部分、即ちボルト２２の頭部等を被覆できる程度のものであり、断熱内壁枠１０１の縦目地全体に貼着できるように適宜裁断されて用いられる。内断熱縦目地シート１０４の貼着は、更に屋内側から内断熱縦目地シート１０４を覆うようにして粘着テープ４０が断熱内壁枠１０１の目地に貼られることにより行われる。これにより、断熱内壁枠１０１の縦目地を封止するとともに、取付金具１０２の屋内側の露呈部分から軸組１への熱伝導を抑止することができる。
なお、内断熱縦目地シート１０４は、前述したように粘着テープ４０を用いて貼着する他、内断熱目地シート１０４そのものが接着性を有するもの、即ち裏面に接着剤等が予め塗布されたものを用いて、断熱内壁枠１０１の縦目地に貼着させることもできる。また、内断熱目地シート１０４の厚みのために内壁面に凹凸が生じる場合には、図１に示すように、断熱内壁枠１０１の縦桟１０Ｔの所要箇所を目地断熱シート１０４の厚み分だけ切り欠くことが好ましい。
【００２８】
サッシ３及び額縁４は周知の形状ものであり、図１に示すように、サッシ３は軸組１に、額縁４は断熱内壁枠１０１の開口部１０ａに取り付けられており、サッシ３の周縁は内断熱テープ５０で密封されている。詳細には、軸組１には、窓台（図示せず）及び窓まぐさ（図示せず）が配設されており、サッシ３は、該窓台及び窓まぐさに固定されている。サッシ３の周縁には、内断熱テープ５０がサッシ３の周縁の形状に合致するように適宜折り曲げられて、サッシ３の周縁と外壁ボード、窓台、又は窓まぐさとに渡って貼り付けられ、サッシ３の周縁を密封している。
【００２９】
前記内断熱テープ５０は、例えばポリエチレン発泡体等の合成樹脂を素材とする断熱性を有するものであり、幅１０ｃｍ程度の帯状のものが好適である。内断熱テープ５０が貼設されることにより、サッシ３周縁の隙間に生ずる通気による熱損失を抑止するとともに、サッシ３のアングルピースが直接屋外の冷気に触れることを防止して結露を防ぐ。さらに、サッシ３の屋内側には、サッシ３と略同形状の開口を有する断熱内壁枠１０１が配設されており、該断熱内壁枠１０の開口部１０ａとサッシ３との間に形成される空間には、矩形の額縁４が配設されている。
【００３０】
なお、本実施の形態においては壁の開口にサッシ３を配設する場合を示したが、その他の窓枠等を配設する場合にも本発明に係る断熱構造を利用できることは当然である。また、内断熱テープ５０を、例えばアルミ蒸着された合成樹脂製のものとして、サッシ３周りの気密をも確保するようにしてもよい。
【００３１】
以下、本実施の形態に係る内壁部の断熱構造１００の施工方法を説明する。
まず、軸組１に沿って外壁ボード、窓台及び窓まぐさ等を取り付け、該窓台及び窓まぐさにサッシ３を適当な取付金具を用いて固定する。これらが取り付けられた後、図６に示すように内断熱テープ５０をサッシ３の周縁を密封するように貼り付ける。内断熱テープ５０はサッシ３の形状に合致するように適宜折り曲げて使用し、後に配設する額縁４の形状を考慮して、貼設された内断熱テープ５０が額縁４により隠蔽されるようにすることが好ましい。また、サッシ３の四隅部は特に隙間が生じ易いので、内断熱テープ５０を重ね合わすように貼り付けて隙間が生じないようにする。
【００３２】
つぎに、図５に示したように、軸組１に取付金具１０２を装着する。具体的には、軸組１の縦方向に対して、図７に示すように、例えば４個の取付金具１０２を列設する。装着すべき取付金具１０２は、少なくとも２個以上であることが好ましいが、断熱内壁枠１０１の枠体１０の強度等を考慮して設けるべき取付金具１０２の数を設定すればよく、特に４個に限定されるものでないことは当然である。なお、図７においては、説明の便宜上、サッシ３等は省略している。
【００３３】
つぎに、軸組１に屋内側に目地断熱材１０３が位置せしめる。目地断熱材１０３は、図７に示すように、軸組１の幅より若干大きなものであり、予め軸組１の高さに合致するように裁断されている。該目地断熱材１０３の、前記取付金具１０２と対応する位置に、目地断熱材１０３を貫通する縦方向の切込み３０を設け、図７の拡大図に示すように、目地断熱材１０３が各取付金具１０２を内包するようにして、目地断熱材１０３を軸組１の屋内側に位置せしめる。
【００３４】
目地断熱材１０３を所定位置に位置せしめた後、断熱内壁枠１０１を取り付ける。図８は、取付金具１０２に断熱内壁枠１０１を取り付けた状態を示すものであり、説明の便宜上、前記目地断熱材１０３は点線で示している。図に示すように、断熱内壁枠１０１の縦桟１０Ｔを、軸組１に装着された取付金具１０２のスペーサ２３に当接させるようにして断熱内壁枠１０１を取り付ける。これにより、軸組１と前記縦桟１０Ｔとの間にスペーサ２３分だけの空間が生じ、縦桟１０Ｔが軸組１と直接接触することはない。該空間には、図に点線で示すように、目地断熱材１０３が充填された状態となり、断熱内壁枠１０１の縦目地であって軸組１と断熱内壁枠１０１の縦桟１０Ｔとの間に、目地断熱材１０３が介設された状態となる。
【００３５】
前述したように断熱内壁枠１０１を取り付けた後、取付金具１０２のボルト２２をねじ込むことにより、ボルト２２の頭部が断熱内壁枠１０１の表面に当接して断熱内壁枠１０１が固定される。ボルト２２の頭部の大きさが小さい場合や軸組１に装着された取付金具１０２の数が少ない場合には、断熱内壁枠１０１の固定が不安定となることも想定されるが、そのような場合には、円盤状の押えプレート２４をボルト２２の頭部に取り付けてもよい。
【００３６】
押えプレート２４は、図９に示すように、直径がボルト２２の頭部より大きな円盤状の平板であって、その中央近傍から径方向の３方向に膨らんだ係止孔２５が穿たれたものである。該係止孔２５は、互いに略反対方向に向かって膨らんだ頭挿通部２５ａ、２５ｂと、該頭挿通部２５ａ、２５ｂと略直交方向に向かって膨らんだ挿通補助部２５ｃとが形成されており、両頭挿通部２５ａ、２５ｂ間の係止孔２５縁部は、押えプレート２４の外縁に向かって膨らみ、ボルト２２の頭部と係合可能な劣弧をなしており、頭挿通部２５ａ、２５ｂと挿通補助部２５ｃとの間の係止孔２５の縁部は、押えプレート２４の中心に向かって膨らみ、ボルト２２の頭部と係合可能な劣弧をなしている。
【００３７】
このように構成された押えプレート２４をボルト２２の頭部に取り付けてから、ボルト２２をねじ込むことにより、押えプレート２４が断熱内壁枠１０１の屋内側の表面に圧接されて、断熱内壁枠１０１を確実に固定する。押えプレート２４の取付けを詳細に説明するに、図９(a)に示すように、ボルト２２の上方から、押えプレート２４の係止孔２５のボルト挿通部２５ａ、２５ｂにボルト２２の頭部を挿入するようにして、押えプレート２４をボルト２２の頭部に嵌め込む。そして、ボルト２２の軸部を挿通補助部２５ｃへ退避させるようにして（図９(b)）、ボルト２２の頭部を係止孔２５に挿通させる。これにより、押えプレート２４の係止孔２５にボルト２２の軸部が遊挿された状態となる（図９(c)）。押えプレート２４をボルト２２の頭部側ヘ位置せしめ、ドライバ等を用いてボルト２２を取付金具１０２の基部２０（図示せず）へねじ込むことにより（図９(d)）、押えプレート２４の係止孔２５の周縁部とボルト２２の頭部とが係合してボルト２２による押圧力が押えプレート２４に伝達され、該押えプレート２４が断熱内壁枠１０１（図示せず）の屋内側の表面を押圧して、断熱内壁枠１０１を取付位置に固定する。
【００３８】
前述したように断熱内壁枠１０１を固定した後、断熱内壁枠１０１の目地に内断熱縦目地シート１０４を貼設する。詳細には、図１０に示すように、予め、帯状の内断熱縦目地シート１０４を断熱内壁枠１０１の縦目地寸法に裁断しておき、該内断熱縦目地シート１０４を、取付金具１０２の屋内側の露呈部分、即ちボルト２２の頭部及び押えプレート２４を覆うように位置せしめ、更に内断熱縦目地シート１０４の上から粘着テープ４０を貼りつけて、内断熱縦目地シート１０４を断熱内壁枠１０１の目地に貼着させる。
【００３９】
一方、断熱内壁枠１０１の開口１０ａには、額縁４を嵌め込んで固定する。額縁４の固定は、ビスや釘等を、額縁４を貫通して断熱内壁枠１０１の開口部１０ａ周囲の横桟１０Ｙ又は補助桟１０Ｈに貫入するように打ち付けることにより、又は、適当な取付け金具等を用いて行う。
【００４０】
このようにして、内壁部の断熱構造１００が施工され、軸組１と断熱内壁枠１０１の縦桟１０Ｔとの間に目地断熱材１０３が介在させることにより、該縦桟１０Ｔから軸組１への熱伝導を抑制する。また、断熱内壁枠１０１の表面側に合成樹脂断熱材１２が、裏面側に易変形断熱材１３が設けられることにより、断熱内壁枠１０１に両者の利点、即ち高い断熱性能及び柔軟性が効果的に発揮され、従来と同様の施工性が維持され、且つ、断熱性能の向上が可能となる。さらに、サッシ３の周縁に内断熱テープ５０が貼設されることにより、サッシ３周縁における熱損失を抑止するとともに、サッシ３の結露を防ぐ。
なお、詳細には説明しないが、断熱内壁枠１０１の屋内側には内壁ボード、壁紙等が設けられて内装が仕上げられる。
【００４１】
以下、前記内壁部の断熱構造１００の別の形態に係る内壁部の断熱構造１００´について説明する。
図１１は、前記内壁部の断熱構造１００´の構成を示すものであるが、該断熱構造１００´は、断熱内壁枠１０１´の開口部の横幅が前記開口部１０ａの横幅より大きく、該開口部の両側方に易変形断熱材１３が覆設されていない点を除いては、前記断熱内壁枠１０１と同様であり、枠体１０、防湿シート１１、合成樹脂断熱材１２、易変形断熱材１３等、前記断熱内壁枠１０１の構成と同じ図番のものは同一のものである。なお、サッシ３´及び額縁４´も、前記開口部１０ｂの横幅と合致するように、前記サッシ３及び額縁４より幅広のものである。
【００４２】
このように、断熱内壁枠１０１´の開口部が幅広であり、開口部の両側から枠体１０までの間が狭い場合には、該開口部の両側方には易変形断熱材１３を覆設せず、目地断熱材１０３の横幅を、枠体１０の縦目地及び開口部側方に位置する合成樹脂断熱材１２の裏側の空間を充填可能なものとして、目地断熱材１０３を開口部１０ｂの両側方に位置せしめる。なお、開口部の上方及び下方には、枠体１０の縦桟１０Ｔまで易変形断熱材１３が覆設されているので、該易変形断熱材１３と目地断熱材１０３とが圧接することとなるが、両者とも押圧により柔軟に変形するものであるので施工も容易である。
【００４３】
以下、前記断熱内壁枠１０１の別の形態に係る断熱内壁枠１０５を用いた内壁部の断熱構造について説明する。
図１２は、前記断熱内壁枠１０５の構成を示すものであるが、該断熱内壁枠１０５は、２本の縦桟１０Ｔ間に横桟１０Ｙが複数架設されてなる矩形の枠体１０の中央やや上よりに開口部１０ａが形成され、枠体１０の表面側に、開口部１０ａと略同形状の切抜きが形成された防湿シート１１が貼設され、枠体１０で四囲された空間であって開口部１０ａ以外の箇所に合成樹脂断熱材１２が充填され、枠体１０の裏面側から、易変形断熱材１５が合成樹脂断熱材１２を覆うように設けられてなるものであり、枠体１０、防湿シート１１等、前記断熱内壁枠１０１の構成と同じ図番のものは同一のものである。
【００４４】
易変形断熱材１５も、前記易変形断熱材１３と同様に、グラスウール、ロックウール等の繊維状で容易に変形可能なものが、予め、枠体１０と略同程度の大きさに裁断され、繊維が解けたりしないように袋体に詰められてなるものであるが、その幅が、両縦桟１０Ｔの裏面側にまで至るものである点で前記易変形断熱材１３と異なる。図１３は、図１２のＢ−Ｂ断面を示すものであるが、図に示すように、易変形断熱材１５は、その両端が枠体１０の両端と略同じ位置にあり、縦桟１０Ｔの裏面側をも覆った状態で、枠体１０の裏面側に膨出するように固定されている。なお、易変形断熱材１５の固定は前述と同様にタッカー１４によるものである。
【００４５】
図１４は、取付金具１０２の片側に断熱内壁枠１０５を取り付けた状態を示すものであるが、図に示すように、断熱内壁枠１０５の縦桟１０Ｔを、軸組１に装着された取付金具１０２のスペーサ２３に当接させるようにして断熱内壁枠１０５を取り付ける。詳細には、断熱内壁枠１０５を取り付ける際に、易変形断熱材１５の、縦桟１０Ｔの裏面側であって取付金具１０２に対応する位置に、水平方向に切込みを設け、易変形断熱材１５が取付金具１０２を内包し、該取付金具１０２のスペーサ２３が断熱内壁枠１０５の縦枠１０Ｔと当接できるようにする。易変形断熱材１５と軸組１とが当接する部分は、断熱内壁枠１０５の取付け後、取付部材１０２のボルト２２の頭部又は押えプレート２４によって断熱内壁枠１０５を押圧、固定することにより、軸組１の形状に沿って弾性変形するので、特に切欠き等を設ける必要はない。
【００４６】
このようにして、軸組１と前記縦桟１０Ｔとの間にスペーサ２３分だけの空間を空けて、縦桟１０Ｔが軸組１と直接接触することがないように断熱内壁枠１０５を取り付け、軸組１と前記縦桟１０Ｔとの間の空間には、断熱内壁枠１０５の易変形断熱材１５が充填された状態となる。従って、図１５に示すように、前述した目地断熱材１０３に代わり、断熱内壁枠１０１の縦目地であって軸組１と断熱内壁枠１０１の縦桟１０Ｔとの間に、易変形断熱材１５が介在する状態となって、縦桟１０Ｔから軸組１への熱伝導を抑制する。
【００４７】
以下、断熱内壁枠の開口部に取付可能な開口部用横枠について説明する。
本開口部用横枠１０６は、図１６に示すように、枠体６０で四囲された空間に合成樹脂断熱材６１が充填され、該合成樹脂断熱材６１の裏面側に易変形断熱材６２が覆設され、表面側に防湿シート６３が貼設されてなるものである。
【００４８】
枠体６０は縦桟６０Ｔと、横桟６０Ｙが組み合わされてなる矩形のものであり、その寸法は特に限定されるものではないが、額縁等の大きさに合わせて適宜断熱内壁枠１０１の開口部１０ａに取り付けられるものであることを考慮すると、幅９０mm程度、高さは断熱内壁枠１０１と同程度とし、開口部１０ａの高さに合わせて現場にて切断して用いるものとすることが好ましい。従って、縦桟６０Ｔ及び横桟６０Ｙも木製の角材等とすることが好ましい。
【００４９】
合成樹脂断熱材６１は、前記合成樹脂断熱材１２と同様に、ポリスチレン、フェノール樹脂等の合成樹脂の発泡体からなるものであり、縦桟６０Ｔ及び横桟６０Ｙで四囲される空間に略隙間なく充填できる程度の矩形に裁断されており、厚みは枠体６０と同程度である。該合成樹脂断熱材６１も、前記合成樹脂断熱材１２と同様に、縦桟６０Ｔ及び横桟６０Ｙに両面テープ等により固定されている。
【００５０】
易変形断熱材６２は、前記易変形断熱材１３と同様に、例えばグラスウール、ロックウール等の繊維状のものであり、押圧を受けることにより容易に変形可能なものである。該易変形断熱材６２は、予め、枠体６０と同程度の大きさに裁断され、繊維が解けたりしないように袋体に詰められ、枠体６０に両面テープ等を用いて貼り付けた後、適当な大きさのプラスチック板を当て板として、タッカー１４を用いて枠体６０に固定されることにより、枠体６０の裏面側までを覆うようにして枠体６０及び合成樹脂断熱材６１の裏面側に覆設されている。
【００５１】
防湿シート６３は、前記防湿シート１１と同様に、例えばアルミ及び合成樹脂のラミネートフィルム等、防湿性を有する素材からなるものであり、枠体６０と略同等の大きさであり、接着剤等により枠体６０に貼り付けられている。
【００５２】
このように構成された開口部用横枠１０６は、図１７(a)に示すように、断熱内壁枠の開口部の高さ寸法に合わせて切断され、該開口部の側縁に取り付けられる。開口部用横枠１０６の固定は、ビスや釘等を、枠体６０を貫通して断熱内壁枠の開口部周囲の横桟１０Ｙ又は補助桟１０Ｈに貫入するように打ち付けることにより、又は、適当な取付け金具等を用いて行う。
【００５３】
開口部用横枠１０６を取り付けた後、図１７(b)に示すように、開口部用横枠１０６の周囲に気密テープ等を貼り付けて、開口部用横枠１０６周縁の隙間を密封する。開口部用横枠１０６が取り付けられた断熱内壁枠１０１は、前述と同様に、取り付け金具１０２等を介して軸組１に配設される。このように、開口部用横枠１０６によれば、開口部に設けるべき窓枠の種類に拘わらず、例えば一定の開口部が形成された断熱内壁枠を用い、サッシや額縁の横幅に合わせて現場にて適宜開口部用横枠１０６を取り付けることで、多種の窓枠に対応させることが可能となる。
【００５４】
なお、本実施の形態においては、開口部用横枠１０６の表面側に予め防湿シート６３を貼設することとしているが、開口部用横枠１０６を断熱内壁枠１０１の開口部１０ａに取り付けた後に、開口部用横枠１０６より若干大きく裁断された防湿シートを、開口部用横枠１０６の周縁の隙間を密封するようにして貼設することとしてもよい。また、開口部用横枠１０６は、前記断熱内壁枠１０１の他、その変形例１０１´、１０５等に取付可能であることは勿論である。
【００５５】
【発明の効果】
以上説明したように、本願請求項１に係る内壁部の断熱構造によれば、軸組に、表面側に合成樹脂断熱材層を、裏面側に易変形断熱材層を有し、所定位置に開口部が形成されてなる断熱内壁枠が配設され、該断熱内壁枠の縦目地であって軸組と断熱内壁枠の枠体との間に、目地断熱材が介設されたものとしたので、軸組と断熱内壁枠の枠体とが直に接触することがなく、軸組と断熱内壁枠の枠体との間が熱伝導性の低い目地断熱材により遮断され、屋内から屋外への熱損失を、簡易且つ低コストで抑制できる。また、断熱内壁枠の表面側に合成樹脂断熱材が、裏面側に易変形断熱材が設けられたことにより、断熱性能が向上され、且つ、従来と同様の施工性が維持される。また、前記軸組に、前記断熱内壁枠を軸組から離間して固定するための取付部材が装着され、該取付部材により軸組に固定された断熱内壁枠の屋内側の縦目地に、帯状の内断熱材が貼設されたものとしたので、前記取付部材による熱伝導をも遮断することができ、前記断熱構造の断熱性能を更に向上させることができる。そして、枠体で四囲された空間に合成樹脂断熱材が充填され、少なくとも、開口部の上方及び下方にある該合成樹脂断熱材の裏面側に易変形断熱材が覆設されてなるので、断熱内壁枠の断熱性が向上される。また、合成樹脂断熱材を併用することにより、断熱内壁枠の厚みを従来と同等のものとし、一方、他の部材と当接する裏面側に易変形断熱材を用いることにより、他の部材に沿って容易に変形し、従来と同様の施工性が維持される。
【００６０】
また、本願請求項２に係る内壁部の断熱構造によれば、請求項１記載の内壁部の断熱構造において、枠体で四囲された空間に合成樹脂断熱材が充填され、該合成樹脂断熱材の裏面側に易変形断熱材が覆設されてなる前記断熱内壁枠の開口部に取付可能な開口部用横枠を具備するので、窓枠の幅等に合わせて適宜、前記断熱内壁枠の開口部に取り付けられ、該開口部において前記断熱内壁枠と同等の断熱性能が発揮される。
【図面の簡単な説明】
【図１】本発明の実施の形態に係る内壁部の断熱構造１００の構成を示す横断面図である。
【図２】断熱内壁枠１０１の構成を示す分解斜視図である。
【図３】図２のＡ−Ａ断面を示す拡大断面図である。
【図４】取付金具１０２の構成を示す斜視図である。
【図５】  (a)は、軸組１に装着する前の取付金具１０２を示す斜視図であり、(b)は、軸組１に装着された取付金具１０２を示す斜視図である。
【図６】サッシ３の周縁に内断熱テープ５０を貼り付けた状態を示す概略斜視図である。
【図７】軸組１に目地断熱材１０３を取り付ける方法を説明するための模式図及び部分拡大図である。
【図８】軸組１に断熱内壁枠１０１を取付けた状態を示す拡大斜視図である。
【図９】  (a)は、ボルト２２に押えプレート２４を取付ける前の状態を示す斜視図であり、(b)は、ボルト２２の頭部に押えプレートを嵌めた状態を示す斜視図であり、(c)は、押えプレート２４にボルト２２が相通された状態を示す斜視図であり、(d)は、ボルト２２をねじ込む状態を示す斜視図である。
【図１０】内断熱縦目地シート１０４を貼着する方法を説明するための拡大斜視図である。
【図１１】変形例に係る内壁部の断熱構造１００´の構成を示す横断面図である。
【図１２】断熱内壁枠１０５の構成を示す分解斜視図である。
【図１３】図１２のＢ−Ｂ断面を示す拡大断面図である。
【図１４】軸組１に断熱内壁枠１０５を取付けた状態を示す拡大斜視図である。
【図１５】断熱内壁枠１０５を用いた内壁部の断熱構造を示す横断面図である。
【図１６】開口部用横枠１０６の構成を示す分解斜視図である。
【図１７】  (a)は、断熱内壁枠の開口部に適宜切断された開口部用横枠１０６を取り付ける状態を示す斜視図であり、(b)は、開口部用横枠１０６の周囲に気密テープを貼り付けた状態を斜視図である。
【図１８】従来の内壁部における断熱構造を示す横断面図である。
【図１９】従来の内壁枠２の構成を示す分解斜視図である。
【符号の説明】
１００、１００´  内壁部における断熱構造
１０１、１０５  断熱内壁枠
１０２  取付金具（取付部材）
１０３  目地断熱材
１０４  内断熱縦目地シート（内断熱材）
１０６  開口部用横枠
１  軸組
１０、６０  枠体
１０ａ  開口部
１０Ｈ  補助桟
１０Ｔ、６０Ｔ  縦桟
１０Ｙ、６０Ｙ  横桟
１２、６１  合成樹脂断熱材
１３、１５、６２  易変形断熱材
３、３´  サッシ（窓枠）
４、４´  額縁
５０  内断熱テープ（内断熱材）
【図１】
0003878018.tif 000002
【図２】
0003878018.tif 000003
【図３】
0003878018.tif 000004
【図４】
0003878018.tif 000005
【図５】
0003878018.tif 000006
【図６】
0003878018.tif 000007
【図７】
0003878018.tif 000008
【図８】
0003878018.tif 000009
【図９】
0003878018.tif 000010
【図１０】
0003878018.tif 000011
【図１１】
0003878018.tif 000012
【図１２】
0003878018.tif 000013
【図１３】
0003878018.tif 000014
【図１４】
0003878018.tif 000015
【図１５】
0003878018.tif 000016
【図１６】
0003878018.tif 000017
【図１７】
0003878018.tif 000018
【図１８】
0003878018.tif 000019
【図１９】
0003878018.tif 000020